(57)【要約】【課題】Ｕ字形冷陰極管の両端部のピン端子に接続されたランプワイヤに引張力が作用しても、冷陰極管のピン端子に負荷が殆どかからないようにし、冷陰極管アセンブリの組立作業性も向上するようにしたランプソケットを提供する。【解決手段】Ｕ字形冷陰極管１の両端部を収容保持する一対の収容凹部５をソケット両端部に形成し、Ｕ字形冷陰極管１の両端部のピン端子１ａに接続されたランプワイヤ３を一旦上方に引き出してから逆Ｕ字状に折曲げてソケット下方へ引き出すようにし、ランプワイヤの逆Ｕ字状折曲げ部３ａを下側から支持する一対のワイヤ支持部６を一対の収容凹部５よりもソケット中央側に形成すると共に、ランプワイヤの逆Ｕ字状折曲げ部に続くワイヤ中間部３ｂを保持する一対のスリット部７をソケット背面に形成した構成のランプソケットＬＳとする。【選択図】図１
2012053997.tif 000002
【特許請求の範囲】
【請求項１】
Ｕ字形冷陰極管の両端部を収容保持する一対の収容凹部をソケット両端部に形成し、Ｕ字形冷陰極管の両端部のピン端子にそれぞれ接続されたランプワイヤを一旦上方に引き出してから逆Ｕ字状に折曲げてソケット下方へ引き出すようにしたランプソケットであって、
双方のランプワイヤの逆Ｕ字状折曲げ部を下側から支持する一対のワイヤ支持部を、上記一対の収容凹部よりもソケット中央側に形成すると共に、双方のランプワイヤの逆Ｕ字状折曲げ部に続くワイヤ中間部を保持する一対の上下方向のスリット部をソケット背面に形成したことを特徴とするランプソケット。
【請求項２】
ソケット下面の上記一対のスリット部の開放下端より中央側に、双方のランプワイヤの接近を阻止する凸部を形成したことを特徴とする請求項１に記載のランプソケット。
【請求項３】
ワイヤ支持部が上記一対の収容凹部のソケット中央側の側壁部の上端部に形成された凹部であり、その支持面がランプワイヤの逆Ｕ字状折曲げ部に密接する曲面に形成されていることを特徴とする請求項１又は請求項２に記載のランプソケット。
【発明の詳細な説明】
【技術分野】
【０００１】
本発明は、液晶モジュールの内部にバックライトとして組み込まれるＵ字形冷陰極管の両端部に取付けられるランプソケットに関する。更に詳しくは、Ｕ字形冷陰極管の両端部のピン端子に接続されたランプワイヤに引張力が作用しても、冷陰極管の両端部やピン端子に負荷が殆どかからないように改善すると共に、併せて、冷陰極管アセンブリの組立作業性をも改善したランプソケットに関する。
【背景技術】
【０００２】
液晶モジュール内部のＵ字形冷陰極管の両端部に取付けられる従来の一般的なランプソケット１００は、図５（ａ），（ｂ）に示すように、Ｕ字形冷陰極管１の両端部を収容保持する左右一対の収容凹部１０１，１０１をソケット両端部に形成し、Ｕ字形冷陰極管１の両端部のピン端子１ａ，１ａに半田２でそれぞれ接続されたランプワイヤ３，３をソケット下方に引き出す穴１０２，１０２を、左右一対の収容凹部１０１，１０１の底部にそれぞれ形成した構造となっている。
【０００３】
また、Ｕ字形冷陰極管２の両端部にスペーサを取付け、スペーサの内部で冷陰極管の端子とワイヤ線を接続し、ワイヤ線の引出し始端部の引出し方向を枠形フレームの一辺に沿う向きに変更した液晶表示装置も知られている（特許文献１）。
【０００４】
そして、ゴムホルダの発光管ホルダ部に発光管を嵌め込んでランプホルダに保持させると共に、発光管のリード線とコネクタをゴムホルダのコネクタ貫通孔に通し、リード線をゴムホルダの線材離隔部のリード線貫通孔に貫通させて、リード線を離隔させた直下式バックライト装置も知られている（特許文献２）。
【０００５】
更に、ホルダ本体にランプの端部を嵌合するランプ嵌合孔を形成し、ホルダ本体からＬ字状に突出する係止部に、ランプの一端に接続されたリード線を保持させるリード線保持孔を形成するとと共に、ホルダ本体と係止部の下面に、ランプの他端から導出されたリード線を保持させるリード線保持部を形成したランプホルダーも知られている（特許文献３）。
【先行技術文献】
【特許文献】
【０００６】
【特許文献１】特開２００６−３３０１６２号公報
【特許文献２】特開２００６−２５３１１６号公報
【特許文献３】特開２００７−３５４８１号公報
【発明の概要】
【発明が解決しようとする課題】
【０００７】
しかしながら、図５に示す従来のランプソケット１００は、Ｕ字形冷陰極管１のピン端子１ａ，１ａに半田２，２で接続されたランプワイヤ３，３が、収容凹部１０１，１０１の底部に形成された穴１０２，１０２から垂下状態でソケット下方に引き出されてコネクタ４につながっているため、組立作業中にコネクタ４やランプワイヤ３，３が強く引っ張られると、冷陰極管１のピン端子１ａに大きい負荷がかかり、冷陰極管１の端部が破壊したり、半田２，２が剥離して接続不良を招いたりする虞れがあった。しかも、Ｕ字形冷陰極管１のピン端子１ａ，１ａとランプワイヤ３，３との半田接続作業は、ランプワイヤ３，３をランプソケット１００の穴１０２，１０２に挿通した状態で行わねばならないため、作業性が良くないという問題もあった。
【０００８】
また、前記特許文献１〜３に記載されたものも、リード線に大きい引張力が作用したときに、冷陰極管の端部や端子に大きい負荷がかからないように負荷を軽減する手段が設けられていないため、上記と同様に、冷陰極管の端部が破壊したり、接続不良を招いたりする虞れがあった。
【０００９】
本発明は上記事情の下になされたもので、その解決しようとする課題は、Ｕ字形冷陰極管の両端部のピン端子に接続されたランプワイヤに引張力が作用しても、冷陰極管の両端部やピン端子に負荷が殆どかからないようにすると共に、併せて、冷陰極管アセンブリの組立作業性も向上するようにしたランプソケットを提供することにある。そして、望ましい実施形態においては、双方のランプワイヤの接近をより確実に防止することも課題としている。
【課題を解決するための手段】
【００１０】
上記課題を解決するため、本発明に係るランプソケットは、Ｕ字形冷陰極管の両端部を収容保持する一対の収容凹部をソケット両端部に形成し、Ｕ字形冷陰極管の両端部のピン端子にそれぞれ接続されたランプワイヤを一旦上方に引き出してから逆Ｕ字状に折曲げてソケット下方へ引き出すようにしたランプソケットであって、双方のランプワイヤの逆Ｕ字状折曲げ部を下側から支持する一対のワイヤ支持部を、上記一対の収容凹部よりもソケット中央側に形成すると共に、双方のランプワイヤの逆Ｕ字状折曲げ部に続くワイヤ中間部を保持する一対の上下方向のスリット部をソケット背面に形成したことを特徴とするものである。
尚、本発明にいう「Ｕ字形冷陰極管」には、１本の冷陰極管をＵ字形に曲げ加工したものの他に、２本の直状の冷陰極管を平行に並べて一端側のピン端子同士をコネクティングプレートで接続した所謂「疑似Ｕ字形冷陰極管」も含まれる。
【００１１】
本発明のランプソケットにおいては、ソケット下面の上記一対のスリット部の開放下端より中央側に、双方のランプワイヤの接近を阻止する凸部を形成することが好ましい。そして、上記ワイヤ支持部は一対の収容凹部のソケット中央側の側壁部の上端部に形成された凹部であって、その支持面がランプワイヤの逆Ｕ字状折曲げ部に密接する曲面に形成されていることが好ましい。
【発明の効果】
【００１２】
本発明のランプソケットのように、Ｕ字形冷陰極管の両端部のピン端子に接続されたランプワイヤを一旦上方に引き出してから逆Ｕ字状に折曲げてソケット下方へ引き出すようにし、ランプワイヤの逆Ｕ字状折曲げ部を下側から支持する一対のワイヤ支持部をソケット両端部の一対の収容凹部よりもソケット中央側に形成してあると、ランプワイヤが下方に引っ張られたときに、その引張力がランプワイヤの逆Ｕ字状折曲げ部のところでワイヤ支持部に受け止められて、Ｕ字形冷陰極管の両端部のピン端子にかかる負荷が大幅に軽減されるため、冷陰極管の端部が破壊したり、半田が剥離して接続不良を招いたりする心配がなくなる。
【００１３】
ところで、Ｕ字形冷陰極管のピン端子に接続されたランプワイヤを逆Ｕ字状に折曲げてソケット下方に引き出す場合、ランプソケットの中間部に上下に貫通する開口部を形成し、この開口部にランプワイヤと先端のコネクタを挿通してソケット下方に引き出すことも考えられるが、その場合は、ランプワイヤとコネクタを上方から開口部に挿通する作業がし辛いため、冷陰極管アッセンブリ（Ｕ字形冷陰極管とランプソケットとコネクタ付きランプワイヤを組み立てたアッセンブリ）の組立作業性が良くないという不都合があり、また、双方のランプワイヤの接近、接触により放電して発火や発煙を引き起こす危険性もある。
けれども、本発明のランプソケットのように、ソケット背面に一対の上下方向のスリット部を形成してあると、双方のランプワイヤの逆Ｕ字状折曲げ部に続くワイヤ中間部をランプソケットの背後から一対のスリット部に嵌め込んで保持させるだけの簡単な作業によって、双方のランプワイヤを接近、接触しないように隔離してソケット下方に引き出すことができるため、冷陰極管アッセンブリの組立作業性が向上すると共に、ランプワイヤ相互間の放電による発火や発煙を防止できるようになる。また、本発明のランプソケットは、Ｕ字形冷陰極管のピン端子にランプワイヤを予め半田で接続し、ランプワイヤを上向きにした状態でＵ字形冷陰極管の両端部をソケット両端部の収容凹部に収容保持させることができるので、従来のランプソケットようにランプワイヤを穴に通してからピン端子に半田接続しなければならないものに比べると、半田接続作業がし易くなり、この点からも冷陰極管アッセンブリの組立作業性が向上することになる。尚、冷陰極管アッセンブリの具体的な組立作業については後述する。
【００１４】
更に、ソケット下面の上記一対のスリット部の開放下端より中央側に、双方のランプワイヤの接近を阻止する凸部を形成したランプソケットは、双方のランプワイヤのソケット下方に引き出された部分も上記凸部によって所定の間隔以下に接近しないように隔離されるため、ランプワイヤ相互間の放電による発火や発煙の虞れをより確実に解消できる利点がある。
【００１５】
また、上記ワイヤ支持部が一対の収容凹部のソケット中央側の側壁部の上端部に形成された凹部であって、その支持面がランプワイヤの逆Ｕ字状折曲げ部に密接する曲面に形成されていると、ランプワイヤの逆Ｕ字状折曲げ部とワイヤ支持部の支持面との摩擦抵抗が増大するため、ランプワイヤに引張力が作用したときに、その大きい摩擦抵抗によって引張力が更に減衰され、Ｕ字形冷陰極管のピン端子にかかる負荷が一層軽減される利点がある。
【図面の簡単な説明】
【００１６】
【図１】本発明の一実施形態に係るランプソケットの斜視図である。
【図２】同ランプソケットの平面図である。
【図３】図２のＡ−Ａ線断面図である。
【図４】図２のＢ−Ｂ線断面図である。
【図５】従来のランプソケットを示すもので、（ａ）はその側面図、（ｂ）はその断面図である。
【発明を実施するための形態】
【００１７】
図１〜図４に示す実施形態のランプソケットＬＳは、摩擦係数が大きい弾力性のある合成ゴムや合成樹脂などのエラストマーからなるものであって、このランプソケットＬＳの両端部には、Ｕ字形冷陰極管１の両端部を収容保持する一対の収容凹部５，５が形成されている。この収容凹部５は、図３に示すように、円形空洞部５ａの上側に円形空洞部５ａの直径よりも幅が狭いスリット部５ｂを一体に形成したもので、このスリット部５ｂを押し開きながら、Ｕ字形冷陰極管１の両端部と、ランプワイヤ３が半田２で接続されたピン端子１ａを、上方から円形空洞部５ａに嵌め込むことによって、ワンタッチで収容保持できるようになっている。
【００１８】
Ｕ字形冷陰極管１，１の両端部のピン端子１ａ，１ａに半田２，２でそれぞれ接続されたランプワイヤ３，３は、一旦上方へ引き出されてから逆Ｕ字状に折曲げられてソケット下方へ引き出されており、その先端にはコネクタ４が取付けられている。そして、双方のランプワイヤ３，３の逆Ｕ字状折曲げ部３ａ，３ａを下側から支持する一対のワイヤ支持部６，６が、収容凹部５，５のソケット中央側の側壁部５ｃ，５ｃの上端部に形成されている。このワイヤ支持部６，６は、ランプワイヤ３，３の逆Ｕ字状折曲げ部３ａ，３ａの頂部が嵌まり込む凹部であり、その支持面（底面）が逆Ｕ字状折曲げ部３ａの頂部の下半部に密接する曲面に形成されている。そのため、ワイヤ支持部６と逆Ｕ字状折曲げ部３ａとの摩擦抵抗は大である。
【００１９】
また、ソケット背面には一対の上下方向のスリット部７，７が形成されており、双方のランプワイヤ３，３の逆Ｕ字状折曲げ部３ａ，３ａに続くワイヤ中間部３ｂ，３ｂが、ソケット背後からスリット部７，７に嵌め込まれて隔離状態で保持されるようになっている。このスリット部７，７は、ランプワイヤ３，３のワイヤ中間部３ｂ，３ｂを両側から挟んだ状態でガタツキなく保持できるように、スリット部奥側の幅がランプワイヤ３，３の外径と略同一とされており、かつ、ランプワイヤ３，３がスリット部７，７から背面側へ抜け出さないように、スリット部手前側の幅が奥側の幅よりも狭くなっている。
【００２０】
更に、ソケット下面の上記スリット部７，７の開放下端より中央側には、ワイヤ隔離用の一対の凸部８，８が下向きに突設されており、この凸部８，８によって、双方のランプワイヤ３，３のソケット下方に引き出された部分が所定の間隔以下に接近するのを阻止している。
【００２１】
尚、９はソケット下部に形成された嵌合用脚部であり、この嵌合用脚部９を液晶モジュールのリアフレームに形成された取付穴に嵌合することによってランプソケットＬＳがリアフレームに取付固定され、ランプワイヤ３，３とその先端のコネクタ４がリアフレームの背後に引き出されるようになっている。
【００２２】
以上のような構成のランプソケットＬＳを用いて冷陰極管アッセンブリを組み立てる場合は、まず、Ｕ字形冷陰極管１の両端部のピン端子１ａ，１ａにコネクタ４付きのランプワイヤ３，３を半田２，２で接続する。次いで、Ｕ字形冷陰極管１の両端部とピン端子１ａ，１ａをランプソケットＬＳの両端部の収容凹部５に上方から嵌め込んで収容保持させ、ランプワイヤ３，３を一旦上方に引き出してから逆Ｕ字状に折曲げて、この逆Ｕ字状折曲げ部３ａ，３ａをワイヤ支持部６（凹部）で下側から支持させる。そして、ランプワイヤ３，３の逆Ｕ字状折曲げ部３ａ，３ａに続くワイヤ中間部３ｂ，３ｂをソケット背後からスリット部７，７に嵌め込んで保持させ、ランプワイヤ３，３の先端側をソケット下方へ引き出すと、冷陰極管アッセンブリの組立作業が完了する。
【００２３】
上記のように、本発明のランプソケットＬＳを用いると、Ｕ字形冷陰極管１のピン端子１ａとランプワイヤ３を半田接続する際に、従来のランプソケット１００のようにランプワイヤ３を収容凹部１０１の底に設けられた孔１０２に通す必要がなくなるため、半田接続作業性が向上する。また、ソケット背後からランプワイヤ３，３のワイヤ中間部３ｂ，３ｂをスリット部７，７に嵌め込んでランプワイヤ３，３をソケット下方に簡単に引き出すことができるので、前述したようにソケット中間部の上下に貫通する開口部にランプワイヤとコネクタを挿通してソケット下方に引き出す場合に比べると、ランプワイヤ３，３のソケット下方への引出し作業性も向上する。従って、本発明のランプソケットＳＬを用いると、冷陰極管アッセンブリの組立作業性が大幅に向上することになる。
【００２４】
しかも、本発明のランプソケットＳＬは、ランプワイヤ３，３の逆Ｕ字状折曲げ部３ａ，３ａをワイヤ支持部６，６で下側から支持することによって、ランプワイヤ３，３が下方に引っ張られたときに、その引張力がランプワイヤの逆Ｕ字状折曲げ部３ａ，３ａのところでワイヤ支持部６，６に受け止められるようにしてあるため、Ｕ字形冷陰極管１の両端部のピン端子１ａ，１ａにかかる負荷を大幅に軽減することができ、冷陰極管の端部が破壊したり、半田が剥離して接続不良を招いたりする心配を解消することができる。特に、ワイヤ支持部６である前記凹部の支持面（底面）をランプワイヤ３の逆Ｕ字状折曲げ部３ａに密接する曲面に形成することによって、ランプワイヤ３の逆Ｕ字状折曲げ部３ａとワイヤ支持部６の支持面との摩擦抵抗を増大させたものは、その大きい摩擦抵抗によって引張力が更に減衰されるので、Ｕ字形冷陰極管１のピン端子１ａにかかる負荷を一層軽減することができる。
【００２５】
また、本発明のランプソケットＳＬのように、ソケット背面の一対のスリット部７，７に双方のランプワイヤ３，３のワイヤ中間部３ｂ，３ｂを保持させることによって、双方のランプワイヤ３，３を接近、接触しないように隔離してソケット下方に引き出してあると、ランプワイヤ相互間の放電による発火や発煙の虞れを解消することができる。そして、ソケット下面にワイヤ隔離用の凸部８，８を突設することによって、ランプワイヤ３，３のソケット下方に引き出された部分を所定の間隔以下に接近しないように隔離したものは、ランプワイヤ相互間の放電による発火や発煙の虞れをより確実に解消することができる。
【符号の説明】
【００２６】
１    Ｕ字形冷陰極管
１ａ  ピン端子
２    半田
３    ランプワイヤ
３ａ  ランプワイヤの逆Ｕ字状折曲げ部
３ｂ  ランプワイヤの逆Ｕ字状折曲げ部に続くワイヤ中間部
４    コネクタ
５    収容凹部
５ｃ  収容凹部のソケット中央側の側壁部
６    ワイヤ支持部（凹部）
７    スリット部
８    ワイヤ隔離用の凸部
ＬＳ  ランプソケット
【図１】
2012053997.tif 000003
【図２】
2012053997.tif 000004
【図３】
2012053997.tif 000005
【図４】
2012053997.tif 000006
【図５】
2012053997.tif 000007